(57)【要約】      （修正有）【課題】動作プロセッサのオーバークロック能力を最適化するため、安定した電流を供給する動作処理装置を提供する。【解決手段】動作処理装置１は、マザーカード１２と、ドータカード１１とを含む。マザーカード１２は、マザーカード本体１２１と、第一コネクタと、動作プロセッサ１２２とを含む。動作プロセッサは、第一コネクタに電気的に接続され、マザーカード本体は、第一コネクタ及び動作プロセッサを支持する。ドータカードは、第二コネクタと、電力安定化回路と、ドータカード本体１１１とを含む。第二コネクタは、第一コネクタを結合するためにある。電力安定化回路は、第二コネクタに電気的に接続され、第一コネクタ及び第二コネクタを介して安定的な電流を動作プロセッサに出力する。相応して、ドータカード本体は、マザーカード本体上の動作プロセッサに配置される。【選択図】図１
0003176698.tif 000002
【実用新案登録請求の範囲】
【請求項１】
マザーカードと、
ドータカードとを含み、
前記マザーカードは、第一コネクタと、該第一コネクタに電気的に接続される動作プロセッサと、前記第一コネクタ及び前記動作プロセッサを配置するためのマザーカード本体とを含み、
前記ドータカードは、前記第一コネクタとの結合のための第二コネクタと、前記第一コネクタ及び前記第二コネクタを介して、前記動作プロセッサに安定的な電流を出力するために、前記第二コネクタに電気的に接続される電力安定化回路と、前記マザーカード本体の上の前記動作プロセッサに相応して配置されるドータカード本体とを含む、
動作処理装置。
【請求項２】
前記マザーカード本体は、前記第一コネクタを配置するためのマザーカード上面と、前記動作プロセッサを配置するためのマザーカード下面とを含む、請求項１に記載の動作処理装置。
【請求項３】
前記ドータカード本体は、前記電力安定化回路を配置するためのドータカード上面と、前記第二コネクタを配置するためのドータカード下面とを含み、該ドータカード下面は、前記マザーカード上面に面する、請求項１に記載の動作処理装置。
【請求項４】
前記ドータカードは、前記電力安定化回路を覆うためのハウジングを更に含む、請求項１に記載の動作処理装置。
【請求項５】
前記ドータカードを前記マザーカードに固定するための固定構造を更に含む、請求項１に記載の動作処理装置。
【請求項６】
前記固定構造は、複数のプラスチックパッドを含む、請求項５に記載の動作処理装置。
【請求項７】
前記マザーカード本体は、複数のファンねじ孔を含み、前記ドータカード本体は、複数のドータカードねじ孔を含み、前記固定構造は、前記ファンネジ孔及び前記ドータカードねじ孔を通じて、前記ドータカードを前記マザーカードに固定する、請求項５に記載の動作処理装置。
【請求項８】
前記電力安定化回路は、コンデンサを含む、請求項１に記載の動作処理装置。
【請求項９】
前記電力安定化回路は、複数のコンデンサを含む、請求項１に記載の動作処理装置。
【請求項１０】
前記電力安定化回路の等価容量は、１０μＦよりも大きい、請求項１に記載の動作処理装置。
【請求項１１】
前記マザーカードは、ディスプレイカードである、請求項１に記載の動作処理装置。
【請求項１２】
前記動作プロセッサは、画像処理装置（ＧＰＵ）である、請求項１に記載の動作処理装置。
【考案の詳細な説明】
【技術分野】
【０００１】
（関連出願の参照）
この出願は、２０１１年８月２９日に出願された台湾出願番号第１００２１６１１４号の利益を主張し、その全文を参照として本明細書中に援用する。
【０００２】
本考案は、一般的には、動作処理装置(operation  processing  apparatus)に関し、より具体的には、オーバークロック能力(overclocking  ability)を増大するための動作実行プロセッサ(operation  operating  processor)に関する。
【背景技術】
【０００３】
従来的なコンピュータは単色モニタを実装し、文字、数字、及び、データに対する単純な処理作業のみを行うので、従来的なコンピュータはディスプレイカードに関する緩やかな要件を有する。コンピュータ技術が発展及び進展し続けるに応じて、コンピュータは、グラフィックスを描き得るのみならず、複雑なグラフィックス及び画像をも表示し得る。よって、コンピュータ内のディスプレイカードがより重要になっている。ディスプレイカードの性能を更に最適化するために、オーバークロック(overclocking)がディスプレイカードの画像処理装置（ＧＰＵ）に適用されるのが普通である。
【０００４】
例えば、特許文献１は、オーバークロックディスプレイカードを開示している。ディスプレイカードの主要素子は、画像処理装置と、電流電圧変換回路と、論理判定回路と、周波数生成回路とを含み、画像処理装置は、駆動信号をもたらし得る。電流電圧変換回路は、画像処理装置の動作電流を検出し、動作電流を電圧信号に変換し得る。論理判定回路は、駆動信号及び電圧信号に従って画像処理装置の負荷状態を判定し、制御信号を生成する。周波数生成回路は、制御信号に従って周波数信号を画像処理装置に出力し得る。
【０００５】
しかしながら、オーバークロックがディスプレイカードのＧＰＵに適用されるとき、ＧＰＵへの不安定な供給電流が頻繁に誤作動を引き起こし得る。更に、現在のディスプレイカードの限定的な空間の故に、追加的な電子構成部品をディスプレイカードに追加し得る可能性は低い。
【先行技術文献】
【特許文献】
【０００６】
【特許文献１】中国特許出願公開番号第１０１５４２４６Ａ号明細書
【考案の概要】
【考案が解決しようとする課題】
【０００７】
本考案は、動作プロセッサのオーバークロック能力を最適化するよう、安定的な電流を動作プロセッサに提供する動作処理装置に向けられている。
【課題を解決するための手段】
【０００８】
本発明によれば、動作処理装置が提供される。動作処理装置は、マザーカードと、ドータカードとを含む。マザーカードは、第一コネクタと、動作プロセッサと、マザーカード本体とを含む。動作プロセッサは、第一コネクタに電気的に接続され、マザーカード本体は、第一コネクタ及び動作プロセッサを支持する。ドータカードは、第二コネクタと、電力安定化回路と、ドータカード本体とを含む。第二コネクタは、第一コネクタとの結合のためにある。電力安定化回路は、第二コネクタに電気的に接続され、第一コネクタ及び第二コネクタを介して、動作プロセッサに安定的な電流を出力する。ドータカード本体は、相応して、マザーカード本体の上の動作プロセッサに配置される。
【０００９】
本考案の上記の及び他の特徴は、非限定的な好適実施態様に関する以下の詳細な記載に関してより良好に理解されよう。以下の記載は、添付の図面を参照して行われる。
【図面の簡単な説明】
【００１０】
【図１】第一実施態様に従った動作処理装置を示す概略図である。
【図２】第一実施態様に従った動作処理装置を示す頂面図である。
【図３】第一実施態様に従った動作処理装置を示す底面図である。
【図４】第一実施態様に従った動作処理装置を示す側面図である。
【図５】第二実施態様に従った動作処理装置を示す側面図である。
【図６】第三実施態様に従った動作処理装置を示す側面図である。
【考案を実施するための形態】
【実施例１】
【００１１】
図１は第一実施態様に従った動作処理装置１の概略図を示している。図２は第一実施態様に従った動作処理装置１の頂面図を示している。図３は第一実施態様に従った動作処理装置１の底面図を示している。図４は第一実施態様に従った動作処理装置１の側面図を示している。図１乃至４を参照すると、動作処理装置１は、マザーカード１２と、ドータカード１１とを含む。例えば、マザーカード１２は、マザーボード又はビデオカードである。マザーカード１２は、第一コネクタ１２３と、動作プロセッサ１２２と、マザーカード本体１２１とを含む。ドータカード１１は、第二コネクタ１１３と、電力安定化回路１１２と、ドータカード本体１１１とを含む。
【００１２】
動作プロセッサ１２２は、第一コネクタ１２３に電気的に接続される。マザーカード本体１２１は、第一コネクタ１２３及び動作プロセッサ１２２を支持する。第二コネクタ１１３は、第一コネクタ１１３との結合のためにある。例えば、第一コネクタ１２３及び第二コネクタ１１３は、それぞれ、雄ソケット及び雌ソケットである。電力安定化回路１１２は、第二コネクタ１１３に電気的に接続され、第一コネクタ１２３及び第二コネクタ１１３を介して、安定的な電流を動作プロセッサ１２２に出力する。相応して、ドータカード本体１１１は、マザーカード本体１２１の上の動作プロセッサ１２２に配置される。例えば、動作プロセッサ１２２は、画像処理装置（ＧＰＵ）、中央処理装置（ＣＰＵ）又は加速処理装置（ＡＰＵ）である。
【００１３】
電力安定化回路１１２によって動作プロセッサ１２２にもたらされる安定的な電流に寄与する点において、動作プロセッサ１２２のオーバークロック能力が更に最適化されることが付記されなければならない。その上、電力安定化回路１１２は、マザーカード本体１２１の割当て空間を占有せず、よって、マザーカード本体１２１の元来の回路配置に影響を及ぼさないままにする。
【００１４】
更に、マザーカード本体１２１は、マザーカード上面１２１ａと、マザーカード下面１２１ｂとを含む。第一コネクタ１２３は、マザーカード上面１２１ａに配置され、動作プロセッサ１２２は、マザーカード下面１２１ｂに配置される。ドータカード本体１１１は、ドータカード上面１１１ａと、ドータカード下面１１１ｂとを含む。電力安定化回路１１２は、ドータカード上面１１１ａに配置され、第二コネクタ１１３は、ドータカード下面１１１ｂに配置される。ドータカード下面１１１ｂは、マザーカード上面１２１ａに面する。例えば、電力安定化回路１１２は、１つ又は幾つかのコンデンサ１１２１を含み、電力安定化回路１１２の等価容量は、１０μＦよりも大きい。
【実施例２】
【００１５】
図５は、第二実施態様に従った動作処理装置２の側面図を示している。第二実施態様と第一実施態様との間の主要な相違は、動作処理装置２が固定構造１３を更に含み、ドータカード本体１１がハウジング１２４を更に含むことである。固定構造１３は、マザーカード１２の上にドータカード１１を固定するためにあり、例えば、幾つかのプラスチックパッドを含む。ドータカード１１の安定性を向上するために、ドータカード下面１１１ｂとマザーカード上面１２１ａとの間に固定構造１３を配置し得る。ハウジング１２４は、短絡を防止するよう電力安定化回路１１２の電子構成部品を覆うためにある。
【実施例３】
【００１６】
図６は、第三実施態様に従った動作処理装置３の側面図を示している。第三実施態様と第一実施態様との間の主要な相違は、動作処理装置３では、マザーカード本体１２１がファンねじ孔１２１１を含み、ドータカード本体１１１がドータカードねじ孔１１１１を含むことである。例えば、第三実施態様における固定構造１３は、ねじである。ファンねじ孔１２１１及びドータカードねじ孔１１１１を通じて、マザーカード１２の上のドータカード１１に固定構造１３を固定する。ファンねじ孔１２１１及びドータカードねじ孔１１１１を通じてマザーカード１２の上にドータカード１１を固定することとは別に、ドータカード１１の接地効果を更に増大するために、固定構造１３はファンをマザーカード１１に同時に固定する。
【００１７】
本考案を好適実施態様に関して一例によって記載したが、本考案はそれらに限定されないことが理解されるべきである。逆に、本考案は、様々な変形や類似の構成及び手順をカバーすることが意図され、従って、付属の請求項の範囲は、そのような全ての変形や類似の構成及び手順を包含するよう、最広義の解釈が与えられなければならない。
【符号の説明】
【００１８】
１        動作処理装置  (operation  processing  apparatus)
２        動作処理装置  (operation  processing  apparatus)
３        動作処理装置  (operation  processing  apparatus)
１１      ドータカード  (daughter  card)
１１１    ドータカード本体  (daughter  card  body)
１１１ａ  ドータカード上面  (daughter  card  upper  surface)
１１１ｂ  ドータカード下面  (daughter  card  lower  surface)
１１１１  ドータカードねじ孔  (daughter  card  screw  hole)
１２      マザーカード  (mother  card)
１２１    マザーカード本体  (mother  card  body)
１２１ａ  マザーカード上面  (mother  card  upper  surface)
１２１ｂ  マザーカード下面  (mother  card  lower  surface)
１２１１  ファンねじ孔  (fan  screw  hole)
１１２    電力安定化回路  (power  stabilizing  circuit)
１３      固定構造  (securing  structure)
１１２１  コンデンサ  (capacitor)
１１３    第二コネクタ  (second  connector)
１２２    動作プロセッサ  (operation  processor)
１２３    第一コネクタ  (first  connector)
１２４    ハウジング  (housing)
【図１】
0003176698.tif 000003
【図２】
0003176698.tif 000004
【図３】
0003176698.tif 000005
【図４】
0003176698.tif 000006
【図５】
0003176698.tif 000007
【図６】
0003176698.tif 000008